(57)【要約】【課題】複数のスタッカに集積された紙葉類を効率的に取り除く。【解決手段】紙葉類を装填するホッパから搬送される紙葉類を識別する識別部２１０と、識別部により識別された複数種の紙葉類を、種類ごとに分けて集積する複数のスタッカ２４５，２４０と、識別部２１０により識別された紙葉類のスタッカへの搬送を制御すると共に各スタッカに集積される紙葉類の枚数を管理する制御部２５０と、複数のスタッカの紙葉類の集積状態を表示する表示部２４６を有する。制御部２５０は、スタッカに集積される紙葉類の枚数が所定枚数に達し、かつ所定枚数に達したスタッカが複数存在する場合、最初に紙葉類を取り除かせるべきスタッカを判定して、表示部の表示変更を指示する。【選択図】図２
2019032571.tif 000002
【特許請求の範囲】
【請求項１】
紙葉類を装填するホッパと、
該ホッパから搬送される紙葉類を識別する識別部と、
該識別部により識別された複数種の紙葉類を、種類ごとに分けて集積する複数のスタッカと、
該識別部により識別された紙葉類の該スタッカへの搬送を制御すると共に、該各スタッカに集積される紙葉類の枚数を管理する制御部と、
該複数のスタッカの紙葉類の集積に関する通知をする通知手段と、を有し、
前記制御部は、該スタッカに集積される紙葉類の枚数が所定枚数に達し、かつ該所定枚数に達した該スタッカが複数在る場合、最初に紙葉類を取り除かせるべき該スタッカを判定して、該通知手段へ指示する、
ことを特徴とする紙葉類仕分け装置。
【請求項２】
前記識別部は、紙葉類を正券と、損券と、リジェクト券に識別し、
前記複数のスタッカは、該正券を集積する複数の第１スタッカと、該損券を収納する第２スタッカと、該リジェクト券を収納する第３スタッカを含み、
前記制御部は、正券を集積する複数の該第１スタッカのうち少なくとも１のスタッカにおける紙葉類の枚数が該所定枚数に達しており、かつ該第２スタッカ又は該第３スタッカにおける紙葉類の枚数が該所定枚数に達している場合、該第２スタッカ又は該第３スタッカの紙葉類を優先して取り除くよう判定して、該通知手段へ指示する、
請求項１記載の紙葉類仕分け装置。
【請求項３】
前記通知手段は、前記各スタッカに対応して設けられた表示部であり、
該各表示部は、前記制御部の制御により該スタッカに集積される紙葉類の枚数を表示し、かつ
前記制御部からの前記指示に従って、紙葉類を取り除くべき該スタッカに対応する該表示部の表示状態を変更する、
請求項１又は２記載の紙葉類仕分け装置。
【請求項４】
前記制御部は、何れのスタッカにある紙葉類を優先的に取り除くかを決めたポリシーを管理するテーブルを保持し、
該所定枚数に達した該スタッカが複数在る場合、該テーブルを参照して、最初に紙葉類を取り除くべきスタッカを決める、
請求項２記載の紙葉類仕分け装置。
【請求項５】
前記表示部は、対応する該スタッカの紙葉類の集積枚数が該所定枚数に達するまで、該スタッカに集積される紙葉類の枚数を点灯表示し、
紙葉類を取り除くべき該スタッカに対応する該表示部は、紙葉類の枚数を点滅表示する、
請求項３記載の紙葉類仕分け装置。
【請求項６】
前記各スタッカには、紙葉類の有無を検知するセンサが設置され、
紙葉類を取り除くべき該スタッカに設置された該センサが、紙葉類の無いことを検知した場合、前記制御部は該スタッカに対応する前記表示部の表示状態を元に戻す、
請求項３記載の紙葉類仕分け装置。
【発明の詳細な説明】
【技術分野】
【０００１】
本発明は、紙葉類仕分け装置に係り、特に金融機関において用いられる紙幣の精査のための紙幣仕分け装置に関する。
【背景技術】
【０００２】
金融機関では紙幣の精査のために紙幣仕分け装置が使用されている。この紙幣仕分け装置は、紙幣の枚数の確認、紙幣の真偽判定、正券紙幣と損券紙幣とを仕分けする正損分離処理や帯封処理、等の機能を有している。ここで、正券紙幣とは精査処理後に再度市場に流通させても問題のない綺麗な紙幣をいい、損券紙幣とは汚れや破れ、落書きなどがある損傷紙幣をいう。例えば、特許文献１にはこの種の紙幣仕分け装置が開示されている（図８〜図１０、明細書の段落００５９以降）。すなわち、ホッパ２２０に投入された紙幣は、紙幣識別部２１０で真偽が判定されて、その結果に応じて、紙幣は、スタッカ２４５Ａ，又は２４５Ｂ、又はリジェクトスタッカ２４０に振り分けられる。
【先行技術文献】
【特許文献】
【０００３】
【特許文献１】特開２０１２−１９８６１２号公報
【発明の概要】
【発明が解決しようとする課題】
【０００４】
この紙幣仕分け装置において、仕分けすべき紙幣が大量にある場合、仕分け先のスタッカに所定枚数の紙幣が集積されると、それ以上の紙幣の集積場所が無くなるので、紙幣の仕分け処理が停止する。その場合、仕分け先のスタッカに紙幣が所定枚数集積した旨を係員に通知して、そのスタッカから集積した紙幣を取り除くように促す手立ても考えられるが、その場合でも効率的な処理が求められる。
【０００５】
本発明の目的は、複数のスタッカに集積された紙葉類を効率的に取り除くことができる紙葉類仕分け装置を提供することにある。
【課題を解決するための手段】
【０００６】
本発明に係る紙葉類仕分け装置は、好ましくは、紙葉類を装填するホッパと、
該ホッパから搬送される紙葉類を識別する識別部と、
該識別部により識別された複数種の紙葉類を、種類ごとに分けて集積する複数のスタッカと、
該識別部により識別された紙葉類の該スタッカへの搬送を制御すると共に、該各スタッカに集積される紙葉類の枚数を管理する制御部と、
該複数のスタッカの紙葉類の集積に関する通知をする通知手段と、を有し、
前記制御部は、該スタッカに集積される紙葉類の枚数が所定枚数に達し、かつ該所定枚数に達した該スタッカが複数在る場合、最初に紙葉類を取り除かせるべき該スタッカを判定して、該通知手段へ指示する、ことを特徴とする紙葉類仕分け装置、として構成される。
【発明の効果】
【０００７】
本発明によれば、紙葉類を集積した複数のスタッカのうち、紙葉類を取り除くべきスタッカを効果的に明示することができるので、係員による紙葉類の処理能力が向上する。
【図面の簡単な説明】
【０００８】
【図１】紙幣仕分け装置の制御ブロック図。
【図２】紙幣仕分け装置の概略構成図。
【図３】紙幣仕分け処理を示すフローチャート。
【図４】紙幣を取り除くべきスタッカの判定のためのポリシーを管理するテーブルの構成例を示す図。
【図５】紙幣仕分け処理におけるスタッカの選択動作を示すフローチャート。
【図６】紙幣仕分け処理におけるスタッカの選択動作を示すフローチャート。
【発明を実施するための形態】
【０００９】
以下、図面を参照して、本発明の好ましい実施形態について説明する。  
図１は紙幣仕分け装置の制御ブロック図、図２は紙幣仕分け装置の概略構成図を示す。紙幣仕分け装置は、回収された紙幣Ｓを計数、真偽判定、正損分離処理といった精査業務を行う装置である。
【００１０】
図１に示すように、紙幣仕分け装置２００は、装置内の各部を制御する制御部２５０、制御部２５０の動作プログラム等を記憶するＲＯＭ２５１、制御部２５０が各部を制御する制御データを読み書き可能に記憶するＲＡＭ２５２、操作者による入力を受け付け、入力或いは処理されたデータを表示する表示操作部２５３、ホストコンピュータとの接続に際して情報の送受信を行う通信部２５４、及び各種情報を格納する格納部２５５を有する。ここで、制御部２５０は動作プログラムを実行するプロセッサであり、動作プログラムの実行により各部を制御する。格納部２５５は、紙幣の真偽判定に使用する真偽判定基準情報２５６、正券損券判定の基準となる正損分離基準情報２５７、スキャナＡ２０４、スキャナＢ２０６にて取得される画像情報である紙幣画像情報２５８を格納する。
【００１１】
さらに、紙幣の固有特徴量の認識手段としての記番号読取センサ２０１、紙幣の枚数を検知する枚数検出センサ２０３、紙幣の表裏全体の画像を取得するスキャナＡ２０４、及び搬送されて来る紙幣の損券レベルを読み取る損券検知センサ２０５、紙幣の全体の透過画像を取得するスキャナＢ２０６、識別部により精査した紙幣を振り分ける振り分けゲート２３０を備えている。
【００１２】
また、各スタッカ２４５Ａ〜２４５Ｃ及びリジェクトスタッカ２４０に対応して表示部２４６Ａ〜２４６Ｄを備えている。（なお、以下の説明で、スタッカ２４５Ａ〜２４５Ｃを総称して「スタッカ２４５」ということがある。また表示部２４６Ａ〜２４６Ｄを総称して「表示部２４６」ということがある）。表示部２４６は例えば液晶表示器であり、各スタッカに集積された紙幣の枚数を表示して、紙幣を取り除くべきスタッカを係員に通知するための表示手段として機能する。
【００１３】
次に、図２を参照して、紙幣仕分け装置２００の機構的な構成について説明する。紙幣仕分け装置２００は、識別部２１０、ホッパ２２０、振り分けゲート２３０、リジェクトスタッカ２４０、第１スタッカ２４５Ａ、第２スタッカ２４５Ｂ，第３スタッカ２４５Ｃ、及びこれらの部位を接続する搬送路を有して構成される。各スタッカ２４５及び２４０の前面には、それぞれ表示部２４６Ａ〜２４６Ｄが設けられる。また、各スタッカ２４５及び２４０の後端底部にはそれぞれ光学センサ２４７Ａ〜２４７Ｄが設けられており、これらの光学センサによって各スタッカに集積された紙幣の有無を検知する。また、図示していないが、ホッパ２２０の紙幣の送り出し口には光学センサが設けられており、ホッパ２２０内の紙幣の有無を検知する。
【００１４】
ホッパ２２０は紙幣Ｓの投入部であり、係員によりホッパ２２０に装填された紙幣Ｓはローラの回転により１枚ずつ繰り出される。識別部２１０は、紙幣の搬送路上にあって、記番号読取センサ２０１、枚数検出センサ２０３、スキャナＡ２０４、損券検知センサ２０５、スキャナＢ２０６を備えている。ホッパ２２０から繰り出される紙幣Ｓの枚数を計数し、紙幣の真偽判定し、真偽判定の結果に応じて正損分離する処理（精査処理）を行う。振り分けゲート２３０は、識別部２１０により精査された紙幣Ｓを精査の結果に応じて振り分ける。リジェクトスタッカ２４０、スタッカ２４５Ａ〜２４５Ｂは、振り分けられた紙幣を収納する部位（収納部）である。各スタッカは、係員が紙幣を容易に取出せるように、装置の前面（ホッパ２２０を設けた側面）に開口部を備えている。
【００１５】
紙幣の区分け結果をどのスタッカに割り当てるかについては種々設定可能である。以下の説明では、第１スタッカ２４５Ａと第２スタッカ２４５Ｂに正券を割り当て、第３スタッカ２４５Ｃには損券を割り当て、リジェクトスタッカ２４０には搬送異常や偽造券（リジェクト券という）を割り当てる、とする。リジェクトスタッカ用表示部２４６Ｄ、第１〜第３スタッカ用表示部２４６Ａ〜２４６Ｃには、制御部２５０の指示により各スタッカに格納されている紙幣の枚数が表示される。また、表示操作部２５３にも、リジェクトスタッカ２４０、第１〜第３スタッカ２４５Ａ〜２４５Ｃに集積された紙幣の枚数が表示される。なお、ホッパ２２０に紙幣が投入される前において、各表示部２４６及び表示操作部２５３には“０”が表示されている。
本実施例の特徴として、制御部２５０が紙幣を取り除くべきスタッカを判定し、そのスタッカに対応する表示部の表示を変更する。
【００１６】
＜実施例１＞
次に、図３を参照して、紙幣仕分け処理動作について説明する。この動作は主に、制御部２５０の制御により実行される。  
ホッパ２２０に装填された紙幣Ｓはローラの回転により１枚ずつ分離されて、ホッパ２２０から送り出されて識別部２１０に搬送される（Ｓ１０１）。識別部２１０は、枚数検出センサ２０３によって紙幣枚数を計数し（Ｓ１０２）、記番号読取センサによって記番号を取得し（Ｓ１０３）、スキャナＡ２０４、スキャナＢ２０６により紙幣Ｓの表裏の反射画像、透過画像をスキャンして、紙幣画像を取得する（Ｓ１０４）。取得された紙幣画像と紙幣の記番号は格納部２５５に保存される（Ｓ１０５）。そして、それら紙幣画像や記番号を真偽判定基準情報２５６と比較することで、紙幣の識別処理が行われる（Ｓ１０６）。
【００１７】
紙幣の識別処理の結果、搬送異常紙幣があるとき（Ｓ１０７：ＹＥＳ）、及び紙幣が真券でない（即ち偽造券）とき（Ｓ１０９：Ｎｏ）、その紙幣Ｓは振り分けゲート２３０の駆動によりリジェクトスタッカ２４０に搬送されて、そこに集積される（Ｓ１０８）。また、搬送異常紙幣が無く（Ｓ１０７：ＮＯ）、紙幣Ｓが真券の場合（Ｓ１０９：ＹＥＳ）、損券検知センサ２０５で紙幣の損券レベルを読み取り（Ｓ１１０）、その紙幣Ｓが正券か否かを判定する（Ｓ１１１）。この判定の結果、その紙幣Ｓが正券でなければ（即ち損券ならば）（Ｓ１１１：ＮＯ）、その紙幣Ｓは、振り分けゲート２３０の駆動により第３スタッカ２４５Ｃに搬送されて、そこに集積される（Ｓ１１５）。
【００１８】
上記判定の結果（Ｓ１１１）、正券と判定された場合、その紙幣Ｓは、第１スタッカ２４５Ａ又は第２スタッカ２４５Ｂに集積される。制御部２５０は、正券の枚数を管理しており、正券の枚数が例えば１００枚を超えたか否かで、紙幣の集積先となるスタッカを切り替えるように制御する。１００枚とは、第１スタッカ及び第２スタッカに集積される紙幣の上限の枚数である。すなわち、正券の枚数が１００枚を超えていない場合（Ｓ１１２：ＮＯ）、その紙幣Ｓは、第１スタッカ２４５Ａへ搬送されて、そこに集積される（Ｓ１１３）。正券の枚数が１００枚を超えた場合（Ｓ１１２：ＹＥＳ）、その紙幣Ｓは、第２スタッカ２４５Ｂへ搬送されて、そこに集積される（Ｓ１１４）。これらの動作は、ホッパ２２０に装填された紙幣が無くなるまで繰り返し続く（Ｓ１１７）。
【００１９】
本実施例の特徴は、複数のスタッカの内あるスタッカに集積された紙幣の枚数が上限に達したとき（例えばスタッカの満杯状態）に、何れスタッカにある紙幣を取り除くべきかを、対応する表示部２４６の表示の変更により係員に知らせる。以下、紙幣を取り除くべきスタッカの判定及び対応の表示部の表示変更の制御（Ｓ１１６）について説明する。
【００２０】
制御部２５０は、識別部２１０で判定された、正券、損券、及びリジェクト券、の各枚数を更新しながら、例えばＲＡＭ２５２に格納して管理している。そして、制御部２５０は、各スタッカ２４５，２４０に設置された表示部２４６に当該スタッカに集積される紙幣の枚数を表示する。更に制御部２５０は、満杯状態になった第１スタッカ２４５Ａの表示部２４６Ａの表示状態を変化させる。これにより、係員に満杯状態を知らせて、第１スタッカ２４５Ａに集積された紙幣の取り除きを促すことができる。表示状態の変化の制御とは、例えば上限の１００枚に達していないときは、枚数を示す表示を点灯させ、上限に達したときは枚数の表示を点滅させる。
【００２１】
係員に満杯状態を知らせるのは一種のアラーム通知であり、上記の点滅表示以外に、枚数の表示色を通常の色（例えば青）から赤に変えるとか、或いは点滅速度を変えるとか、種々の案が可能である。また、制御部２５０は、各スタッカの紙幣の集積状態に応じて、表示操作部２５３にもスタッカ毎に集積された紙幣枚数を表示し、かつ満杯状態になったスタッカの枚数の表示を点滅表示に変化させることで、そのスタッカから紙幣の取り除きを促すことができる。
【００２２】
第１スタッカ２４５Ａに集積された紙幣が取り除かれないまま、第２スタッカ２４５Ｂの集積枚数が上限に達すると、正券の集積先のスタッカが無くなる。そこで、制御部２５０はホッパ２２０からの紙幣の搬送を停止して、第２スタッカ２４５Ｂの表示部２４６Ｂの枚数表示を点滅させる。係員が、第１スタッカ２４５Ａか第２スタッカ２４５Ｂいずれかに集積している１００枚の紙幣を取り除くと、対応するセンサ２４７Ａ又は２４７Ｂが紙幣無を検知する。このとき、正券の集積先が確保された状態であり、制御部２５０はホッパ２２０から紙幣の搬送を再開する。そして制御部２５０は、紙幣が取り除かれたスタッカの表示部２４６Ａ又は２４６Ｂの表示を点滅から点灯の状態に変える。
【００２３】
なお、制御部２５０は、第３スタッカ２４５Ｃやリジェクトスタッカ２４０に集積された紙幣の枚数が上限に達したときの表示部２４６Ｃや２４６Ｄの表示、及び上限に達している状態のスタッカから紙幣が取り除かれたときのそれら表示部の表示も、上記と同様に制御する。
【００２４】
ここで、第１スタッカ２４５Ａに集積された紙幣の枚数が上限に達しているが、他のスタッカにおける紙幣の枚数が上限に達していない場合について説明する。第１スタッカ２４５Ａの表示部２４６Ａの表示は点滅している。この時に更に、第３スタッカ２４５Ｃに集積される紙幣の枚数が上限に達した場合、損券の集積先が無くなるので、制御部２５０はホッパ２２０から紙幣の搬送を停止する。この時、第１スタッカ２４５Ａに集積された紙幣を取り除いても、依然として損券の集積先が無い状態なので、ホッパ２２０から紙幣の搬送は停止した状態である。逆に、第３スタッカ２４５Ｃに集積された紙幣を取り除けば、損券の集積先が確保されるので、制御部２５０はホッパ２２０から紙幣の搬送を再開する。このような状態のとき、第３スタッカ２４５Ｃから紙幣の取り除きを優先するように、制御部２５０は第３スタッカ２４５Ｃの表示部２４６Ｃの表示を変化させる。例えば、制御部２５０は、紙幣が満杯状態にある第１スタッカ２４５Ａの表示部２４６Ａの点滅を一時的に点灯状態にし、満杯状態にある第３スタッカ２４５Ｃの表示部２４６Ｃを点滅状態にする。その後、制御部２５０は、第３スタッカ２４５Ｃから紙幣が取り除かれたことを検知したら（即ちセンサ２４７Ｃが紙幣無を検知したら）、表示部２４６Ｃの点滅状態を解除して、表示部２４６Ａの表示を点灯状態から点滅状態に変えて、スタッカ２４５Ａから紙幣の除去を促す。
【００２５】
＜実施例２＞
図４を参照して、スタッカに集積した紙幣を取り除くべきスタッカの判定の例について説明する。この例は、制御部２５０が予め定めたポリシーに従って紙幣を取り除くべきスタッカの優先順位を決めるものである。すなわち、紙幣を取り除くべきスタッカの判定のためのポリシーを管理するテーブルを、格納部２５５又はＲＡＭ２５２に記憶しておき、制御部２５０が、各スタッカ２４５、２４０に集積した紙幣の枚数を管理し、各スタッカにおける紙幣の枚数が上限１００枚以上（満杯状態）か否かを判断し、その判断結果に従って、紙幣を取り除くべき第１優先スタッカ、第２優先スタッカを決定する。なお、図１〜図３の構成は実施例１と同様である。
【００２６】
例えば、Ｎｏ１の例のように、第１スタッカと、第３スタッカと、リジェクトスタッカが満杯状態で、第２スタッカが満杯状態でない場合には、制御部２５０は、第１優先の取り除きスタッカとして、第３スタッカとリジェクトスタッカの表示部２４６Ｃ，２４６Ｄにアラーム表示（例えば点滅表示）する。そして、第２優先の取り除きスタッカとして、第１スタッカの表示部２４６Ａにアラーム表示する。これは、正券用の第２スタッカは未だ満杯状態でないので余裕があるが、第３スタッカとリジェクトスタッカにある紙幣を最優先で取り除かなければならないためである。
【００２７】
また、Ｎｏ８の例のように、第１スタッカと、第２スタッカと、第３スタッカが満杯状態で、リジェクトスタッカが満杯状態でない場合には、制御部２５０は、第１優先の取り除きスタッカとして、第３スタッカの表示部２４６Ｃにアラーム表示する。そして、第２優先の取り除きスタッカとして、第１スタッカの表示部２４６Ａにアラーム表示する。これは、仮に満杯状態にある正券用の２つのスタッカから紙幣を取り除いたとしても、１つしかない損券用の第３スタッカがボトルネックとなるので、満杯状態の第３スタッカからの紙幣の除去を第１優先で行おうとするものである。
【００２８】
＜実施例３＞
図５及び図６を参照して、スタッカへの紙幣の集積及びスタッカに集積した紙幣を取り除くべきスタッカの判定の例について説明する。なお、図１〜図３の構成は実施例１と同様である。
【００２９】
この例では、識別部２１０で識別される紙幣ごとに、各スタッカの満杯状態を監視しながら最適なスタッカに紙幣を集積する制御（図５参照）、及びあるスタッカから紙幣を取り出した場合、そのスタッカ及び関連するスタッカの優先順位を動的に変更制御するものである（図６）。この制御は、制御部２５０がプログラムを実行することで行われる。
【００３０】
図５を参照するに、ホッパ２２０に装填された紙幣Ｓはローラの回転により１枚ずつ分離されて、ホッパ２２０から送り出されて識別部２１０に搬送され、識別部２１０で紙幣の識別処理される（Ｓ５０１、Ｓ５０２）。識別された紙幣は、識別結果に従って、第Ｎスタッカに搬送されて集積される（Ｓ５０３）。第Ｎスタッカとは、上記した第１〜第３スタッカ、及びリジェクトスタッカの何れかである。そして、第Ｎスタッカが満杯状態かを判定する（Ｓ５０４）。判定の結果、満杯状態であれば、ホッパ２２０から紙幣の繰り出しを停止して終了する。
【００３１】
上記判定の結果、満杯状態でなければ、優先順位ａを「１」として（Ｓ５０５）、以下の処理を行う。すなわち、優先順位「１」の区分で満杯状態のスタッカがあるか判定する（Ｓ５０６）。ここで、区分とは、正券、損券、リジェクト券の区別をいう。本例の場合、損券及びリジェクト券はそれぞれ１区分について１つのスタッカが割り当てられているが、正券１区分について２つのスタッカが割り当てられている。
【００３２】
Ｓ５０６の判定の結果、満杯状態のスタッカがあれば、第Ｎスタッカの区分の残容量の方が、優先順位ａ（＝１）の区分の残容量よりも少ないかを判定する（Ｓ５０７）。この判定の結果、少なければ（Ｓ５０７：ＹＥＳ）、第Ｎスタッカの区分の優先度をａ（＝１）繰り下げる（Ｓ５１１）。一方、この判定の結果、少なくなければ（Ｓ５０７：ＮＯ）、第Ｎスタッカの区分のスタッカ数の方が、優先順位ａ（＝１）の区分のスタッカ数よりも少ないかを判定する（Ｓ５０８）。その結果、少なくなければ、全ての区分どの比較が終了しない限り（Ｓ５０９：ＮＯ）、優先順位を（ａ＋１）して（Ｓ５２１）、上記動作Ｓ５０６〜Ｓ５０９を繰り返す。  
このように、紙幣の判別結果に対応する第Ｎスタッカが満杯状態になるまで上記動作が行われる。
【００３３】
次に、図６を参照して、あるスタッカ（第Ｎスタッカ）から紙幣を取り出した場合の、そのスタッカの優先順位の変更制御について説明する。  
第Ｎスタッカから紙幣の取り出しが検知された場合（Ｓ６０１）、制御部２５０は、第Ｎスタッカの区分では満杯状態のスタッカがあるかを判定する（Ｓ６０２）。判定の結果、満杯状態のスタッカが無ければ、第Ｎスタッカの区分の優先度を最も低くして、その他のスタッカの優先順位を繰り上げて（Ｓ６１１）、終了する。
【００３４】
一方、Ｓ６０２の判定の結果、満杯状態のスタッカが有れば、優先順位ａを「１」として（Ｓ６０２）、以下の処理を行う。すなわち、優先順位「１」の区分で満杯状態のスタッカがあるか判定する（Ｓ６０４）。その判定の結果、満杯状態のスタッカが無ければ、第Ｎスタッカの区分の優先度をａ（＝１）繰り下げて（Ｓ６１２）、終了する。
【００３５】
Ｓ６０４の判定の結果、満杯状態のスタッカがあれば、第Ｎスタッカの区分の残容量の方が、優先順位ａ（＝１）の区分の残容量よりも少ないかを判定する（Ｓ６０５）。この判定の結果、少なければ（Ｓ６０５：ＹＥＳ）、第Ｎスタッカの区分の優先度をａ（＝１）繰り下げて（Ｓ６１２）、終了する。一方、Ｓ６０５の判定の結果、少なくなければ（Ｓ６０５：ＮＯ）、第Ｎスタッカの区分のスタッカ数の方が、優先順位ａ（＝１）の区分のスタッカ数よりも少ないかを判定する（Ｓ６０６）。その結果、少なくなければ、全ての区分との比較が終了しない限り（Ｓ６０７：ＮＯ）、優先順位を（ａ＋１）して（Ｓ６２１）、上記動作Ｓ６０４〜Ｓ６０７を繰り返す。
【００３６】
以上説明したように、本実施例によれば、集積された紙幣を取り除くべきスタッカを効果的に明示することができるので、係員による紙幣の処理能力が向上する。すなわち、係員が何れのスタッカの紙幣を取り除くべきかを判断する、従来のような作業が無くなるので、係員の負荷が低減し、作業の効率化が図れる。とりわけ、正券を集積する第１スタッカと第２スタッカのように、１区分に属する紙幣の集積先のスタッカが複数ある場合に、紙幣を除去すべきスタッカを、所定の優先順位に従って決めるのに効果を発揮する。
【００３７】
なお、本発明は上記実施例に限定されることなく、種々変形して実施し得る。例えば、上記実施例では、１区分の正券を集積するスタッカが２つあることしたが、１区分に３つ以上のスタッカがある場合でも対応可能である。また、正券、損券、リジェクト券用にそれぞれ複数のスタッカがある場合でも対応可能である。また、正券、損券、リジェクト券の３種類の紙葉類に限らず、４種類以上の紙葉類を４区分以上の複数のスタッカに集積する場合でも適用可能である。
【００３８】
また、他の例として、上記実施例では、紙幣を除去すべきスタッカを通知する手段（アラーム手段）として、表示部２４６や表示操作部２５３にスタッカの状態を示す表示を変更する例を記載した。代案として例えば、制御部２５０に接続されたスピーカから「紙幣の取り除き」の音声を発するように制御してもよい。更に他の案として、各スタッカ２４５の紙幣取り出し側（図２の左端）にそれぞれ開閉可能な扉を設けて、制御部２５０が紙幣の枚数が上限に達したスタッカの扉を開放するように制御することで（即ち機構的変化によって）、係員に通知することも可能である。
【符号の説明】
【００３９】
Ｓ…紙幣，２００…紙幣仕分け装置，２０１…記番号読取センサ，２０３…枚数検出センサ，２０４…スキャナＡ，２０５…損券検知センサ，２０６…スキャナＢ，２１０…識別部，２２０…ホッパ，２３０…振り分けゲート，２４０…リジェクトスタッカ，２４５Ａ…第１スタッカ，２４５Ｂ…第２スタッカ，２４５Ｃ…第３スタッカ，２４６Ａ〜２４６Ｄ…表示部，２４７Ａ〜２４７Ｄ…光学センサ，２５０…制御部，２５１…ＲＯＭ，２５２…ＲＡＭ，２５３…表示操作部，２５４…通信部，２５５…格納部
【図１】
2019032571.tif 000003
【図２】
2019032571.tif 000004
【図３】
2019032571.tif 000005
【図４】
2019032571.tif 000006
【図５】
2019032571.tif 000007
【図６】
2019032571.tif 000008